(57)【要約】      （修正有）【課題】使用する際には針つけ根部分３を持針器で把持し、針を針固定体２aから取り出し、後端に接続された糸５を本体１aから引き出す。縫合後は糸が切断されているので、針のみを針固定体２aに戻す。針固定体２aには針取り付け位置中央に1個４a、その対面両側に1個ずつ樹脂製突起４b、４cがあり、3点からバネの力で針を保持する。順次使用していき、最後の針を使い終わったら、針固定体２aを本体１aから取り外し、金属廃棄物としてコンパクトに分別して廃棄する。【解決手段】針固定体を本体から取り外し可能な構造にすることによって、金属製医療廃棄物をコンパクトに分別廃棄することが可能となる。ニードルカウンターの機能を合わせ持ち、且つマッチング機能を持つので、患者の体内に針を残すリスクが軽減する。【選択図】図１
0003114534.tif 000002
【実用新案登録請求の範囲】
【請求項１】
本体及び縫合針を固定するための針固定体から構成され、製品出荷時に針は針固定体に固定され、針使用後は元の針固定体の固定位置に戻すことが可能な構造により針カウントが可能であり、針固定体は本体から取り外しすることができ、廃棄の際に金属廃棄物として分別処理が可能なことを特徴とする外科手術用糸付縫合針の包装体。
【考案の詳細な説明】
【技術分野】
【０００１】
本考案は手術用糸付縫合針を収納する包装体に関する。
【背景技術】
【０００２】
外科手術の際に、患者の体内に使用済み手術用縫合針を残さないように、手術終了間際に出した針数と使った針数を合わせるため針カウントを行うが、一般的にはニードルカウンターと呼ばれる容器に針を集合させてカウントする。又は取り出したパッケージに戻すことが行われている。取り出したパッケージに戻し、針固定体を取り外し、金属廃棄物として分別廃棄処理するための専用パッケージの考案は未だなされていない。
【特許文献１】特開平９−７５４０５
【特許文献２】特開２００１−２２４６０３
【特許文献３】特開２００３−１２６０９７
【考案の開示】
【考案が解決しようとする課題】
【０００３】
現在の糸付縫合針パッケージは、薄いスポンジに針がセットされていたり、樹脂製の爪に挟み込んであったりして、針を固定しているが、あくまでも出荷時の針脱落防止が目的であり、針を戻すための機能、構造は備わっていない。無理に針をパッケージに戻そうとすると医療従事者の針刺し事故を誘発する。
【０００４】
ニードルカウンターを手術時に毎回別途用意することは、コストや手間がかかる。ニードルカウンターは、一つの手術で使用する多品種、多数の縫合針をひとつの容器に集合させるため、万が一縫合針の紛失が発生した場合、どの場面で使用したどの縫合針かを特定しにくい。ニードルカウンターは容器全体が紙又は樹脂製であるので、縫合針のみを金属廃棄物として分別廃棄できない。
【課題を解決するための手段】
【０００５】
上記の問題点を解決するために本考案は、製品出荷時に針は針固定体に固定されており、針使用後は元の針固定体の固定位置に戻すことにより針カウントが可能な構造とした。また針固定体は本体から取り外しすることができ、廃棄の際に金属廃棄物として分別処理が可能である構造とした。
【考案の効果】
【０００６】
本考案による手術用糸付縫合針包装体を用いれば、針カウントのためのニードルカウンターを別途購入する必要がない。出した針と使った針を合わせるマッチング式なので、万が一針数が合わない時に針を紛失したおよその部位、針種類が特定可能である。最も危険な針部分を安全に分別廃棄できるので、感染性医療廃棄物分別処理に貢献する。
【考案を実施するための最良の形態】
【０００７】
手術用糸付縫合針包装体の針固定体を縦長のスポンジ又は樹脂製の爪の連続体とし、ミシン目或いは樹脂のかみ合わせにより、取り外し可能な構造としている。
【実施例１】
【０００８】
図１は、本考案の１実施例であって、糸付縫合針が８本セットしてあるマルチパッケージである。使用する際には針つけ根部分３を持針器で把持し、針を針固定体２aから取り出し、後端に接続された糸５を本体１aから引き出す。縫合後は糸が切断されているので、針のみを針固定体２aに戻す。針固定体２aには針取り付け位置中央に1個４a、その対面両側に1個ずつ樹脂製突起４b、４cがあり、3点からバネの力で針を保持する。順次使用していき、最後の針を使い終わったら、図２のように針固定体２aを本体１aから取り外し、金属廃棄物としてコンパクトに分別して廃棄することができる。針固定体２aの下部は凹み６となっており、本体１aの中央部縦長突起と着脱可能な構造となっている。通常糸付縫合針は多い場合、一回の手術で80本〜100本ほど使用する。様々な大きさ、湾曲、先端カットの違う使用済み縫合針が混在し、手術終了時に針カウントを行うが、針数量が不足している場合は患者体内に落としてしまった可能性が考えられる。通常のニードルカウンターでは総本数の確認ができても、どの針が患者のどのあたりに残存しているのかはわからない。本考案によれば、取り出したパッケージに戻すのであるから、万が一針数不足が発生した場合でも使った針、使用した部位をほぼ特定できる。医師は自分がどの部位をどの針で縫合したかを記憶しているので、紛失した針が探しやすいのである。
【実施例２】
【０００９】
図３は台紙に貼り付けられた針固定体２ｂに針が4本セットされている別の例を示している。針固定体２ｂはウレタン、ポリエチレン等の発砲素材であり、使用後糸を切断し、針固定体２ｂの元の位置に刺すか又はスリットに差し込む。針がすべて戻った時点で、ミシン目による切取線７部分で本体１ｂから切り離す。切り離された部分は非常にコンパクトであり、金属製感染性廃棄物の減量につながる。残された本体１ｂは紙だけの材質なので、これも可燃性の感染性医療廃棄物として分別廃棄処理できる。またスリットにより分割された針固定体２ｂの裏面を両面粘着仕様とし、パッケージ以外の別ケース等に貼り付けて、そこに針を戻すこととしてもよい。金属製廃棄物の処理方法は病院施設によって、密閉型容器等に入れなければならない等、異なる事情があるので、この場合最も都合のよい容器に針を固定し、処理することが可能となる。
【産業上の利用可能性】
【００１０】
針固定体を本体から取り外し可能な構造にすることによって、金属製医療廃棄物をコンパクトに分別廃棄することが可能となる。ニードルカウンターの機能を合わせ持ち、且つマッチング機能を持つので、患者の体内に針を残すリスクが軽減する。
【図面の簡単な説明】
【００１１】
【図１】手術用糸付縫合針の包装体の実施方法を示した説明図である。
【図２】針固定体を取り外した図である。
【図３】手術用糸付縫合針の包装体の実施方法を示した別の説明図である。
【符号の説明】
【００１２】
１a、１b  本体
２a、２b  針固定体
３    針つけ根部分
４a、４b、４c  樹脂製突起
５    糸
６    凹み
７    切取線
【図１】
0003114534.tif 000003
【図２】
0003114534.tif 000004
【図３】
0003114534.tif 000005
【手続補正書】
【提出日】平成17年7月20日(2005.7.20)
【手続補正１】
【補正対象書類名】実用新案登録請求の範囲
【補正対象項目名】請求項１
【補正方法】変更
【補正の内容】
【請求項１】
手術用糸付縫合針全体を包装する本体と針部分を収納固定するための針固定体から構成され、本体は紙又は樹脂製、針固定体は樹脂製の突起により挟み込むか、或いはスポンジ製で差し込む又は挟み込むことにより針を固定する構造となっており、本体と針固定体は使用前には一体になっており、針固定体には未使用の糸付縫合針が収納固定され、使用後針固定体の同じ位置に使用済み針を戻し、使用済み針が固定された針固定体のみを本体から取り外して金属廃棄物として分別廃棄することが可能な構造である手術用糸付縫合針の包装体。